(57)【要約】【課題】  ＰＬＵ情報を効率の良く配信することが可能な商品管理装置を提供する。【解決手段】  生成部１０１は、指標情報記憶部１０４から、第一のグループ識別子および該グループ識別子と関連づけられて記憶された商品識別子を取得し、全ＰＬＵ情報記憶部１０３から、指標情報記憶部１０４から取得した商品識別子と関連づけられた商品情報を取得し、指標情報記憶部１０４から取得した商品識別子と、全ＰＬＵ情報記憶部１０３から取得した該商品識別子と関連づけられた商品情報と、を商品識別子ごとに関連づけた第一のグループ別ＰＬＵ情報を作成する。生成部１０１は、同様な動作を行い、全てのグループ識別子に対応するグループ別ＰＬＵ情報を作成する。送信部１０６は、生成部１０１にて作成されたグループ別ＰＬＵ情報を、該グループ別ＰＬＵ情報に対応するグループ識別子にて特定されるグループに所属する端末装置に送信する。【選択図】      図１
2006318265.tif 000002
【特許請求の範囲】
【請求項１】
複数の店舗にそれぞれ配置され、所定のグループに分けられた端末装置に、前記端末装置が配置された前記店舗にて販売される販売商品の商品情報を送信する商品管理装置であって、
前記複数の店舗に配置された前記端末装置を識別するための端末識別子と、該端末識別子にて特定される前記端末装置の所属する前記グループを識別するためのグループ識別子と、を前記端末識別子ごとに記憶する店舗情報記憶部と、
前記販売商品を識別するための商品識別子と、該商品識別子にて特定される前記販売商品の前記商品情報と、を前記商品識別子ごとに記憶する商品情報記憶部と、
前記グループ識別子と、該グループ識別子にて特定される前記グループに所属する前記端末装置が配置される前記店舗にて販売される前記販売商品を特定するための前記商品識別子と、を前記グループ識別子ごとに記憶する指標情報記憶部と、
前記グループ識別子と関連づけられた前記商品識別子を前記指標情報記憶部から取得すると共に前記取得した商品識別子と関連づけられた前記商品情報を前記商品情報記憶部から取得し、前記取得した商品識別子および商品情報を関連づけたグループ別商品参照情報を作成する生成部と、
前記生成部にて作成されたグループ別商品参照情報を、前記グループ別商品参照情報が含む前記商品識別子に関連づけられた前記グループ識別子と関連づけられた前記端末識別子にて特定される前記端末装置に送信する送信部と、
を含む商品管理装置。
【請求項２】
請求項１に記載の商品管理装置において、
前記端末識別子と、該端末識別子にて特定される前記端末装置が配置された前記店舗にて販売される前記販売商品を特定するための前記商品識別子と、該商品識別子にて特定される前記販売商品の売上情報と、を前記端末識別子ごとに関連づけて記憶する売上記憶部と、
前記グループ識別子と関連づけられた前記端末識別子を前記店舗情報記憶部から取得すると共に前記取得した端末識別子と関連づけられた前記商品識別子および前記売上情報を前記売上記憶部から取得し、前記取得した商品識別子および売上情報を関連づけたグループ別売上情報を作成する管理部と、
前記管理部にて作成されたグループ別売上情報を表示する表示部と、
をさらに含む商品管理装置。
【請求項３】
複数の店舗にそれぞれ配置され、所定のグループに分けられた端末装置に、前記端末装置が配置された前記店舗にて販売される販売商品の商品情報を送信し、前記複数の店舗に配置された前記端末装置を識別するための端末識別子と、該端末識別子にて特定される前記端末装置の所属する前記グループを識別するためのグループ識別子と、を前記端末識別子ごとに記憶する店舗情報記憶部と、前記販売商品を識別するための商品識別子と、該商品識別子にて特定される前記販売商品の前記商品情報と、を前記商品識別子ごとに記憶する商品情報記憶部と、前記グループ識別子と、該グループ識別子にて特定される前記グループに所属する前記端末装置が配置される前記店舗にて販売される前記販売商品を特定するための前記商品識別子と、を前記グループ識別子ごとに記憶する指標情報記憶部と、を含む商品管理装置の行う商品管理方法であって、
前記グループ識別子と関連づけられた前記商品識別子を前記指標情報記憶部から取得すると共に前記取得した商品識別子と関連づけられた前記商品情報を前記商品情報記憶部から取得し、前記取得した商品識別子および商品情報を関連づけたグループ別商品参照情報を作成する生成ステップと、
前記生成ステップにて作成されたグループ別商品参照情報を、前記グループ別商品参照情報が含む前記商品識別子に関連づけられた前記グループ識別子と関連づけられた前記端末識別子にて特定される前記端末装置に送信する送信ステップと、
を含む商品管理方法。
【請求項４】
請求項３に記載の商品管理方法において、
前記商品管理装置は、前記端末識別子と、該端末識別子にて特定される前記端末装置が配置された前記店舗にて販売される前記販売商品を特定するための前記商品識別子と、該商品識別子にて特定される前記販売商品の売上情報と、を前記端末識別子ごとに関連づけて記憶する売上記憶部と、をさらに含み、
前記グループ識別子と関連づけられた前記端末識別子を前記店舗情報記憶部から取得すると共に前記取得した端末識別子と関連づけられた前記商品識別子および前記売上情報を前記売上記憶部から取得し、前記取得した商品識別子および売上情報を関連づけたグループ別売上情報を作成する管理ステップと、
前記管理ステップにて作成されたグループ別売上情報を表示する表示ステップと、
をさらに含む商品管理方法。
【請求項５】
複数の店舗にそれぞれ配置され、所定のグループに分けられた端末装置に、前記端末装置が配置された前記店舗にて販売される販売商品の商品情報を送信し、前記複数の店舗に配置された前記端末装置を識別するための端末識別子と、該端末識別子にて特定される前記端末装置の所属する前記グループを識別するためのグループ識別子と、を前記端末識別子ごとに記憶する店舗情報記憶部と、前記販売商品を識別するための商品識別子と、該商品識別子にて特定される前記販売商品の前記商品情報と、を前記商品識別子ごとに記憶する商品情報記憶部と、前記グループ識別子と、該グループ識別子にて特定される前記グループに所属する前記端末装置が配置される前記店舗にて販売される前記販売商品を特定するための前記商品識別子と、を前記グループ識別子ごとに記憶する指標情報記憶部と、に接続されたコンピュータに商品管理処理を実行させるプログラムであって、
前記グループ識別子と関連づけられた前記商品識別子を前記指標情報記憶部から取得すると共に前記取得した商品識別子と関連づけられた前記商品情報を前記商品情報記憶部から取得し、前記取得した商品識別子および商品情報を関連づけたグループ別商品参照情報を作成する生成処理と、
前記生成処理にて作成されたグループ別商品参照情報を、前記グループ別商品参照情報が含む前記商品識別子に関連づけられた前記グループ識別子と関連づけられた前記端末識別子にて特定される前記端末装置に送信する送信処理と、
を含む商品管理処理を前記コンピュータに実行させるプログラム。
【請求項６】
請求項５に記載のプログラムにおいて、
前記コンピュータは、前記商品管理装置は、前記端末識別子と、該端末識別子にて特定される前記端末装置が配置された前記店舗にて販売される前記販売商品を特定するための前記商品識別子と、該商品識別子にて特定される前記販売商品の売上情報と、を前記端末識別子ごとに関連づけて記憶する売上記憶部と、表示部と、にさらに接続され、
前記グループ識別子と関連づけられた前記端末識別子を前記店舗情報記憶部から取得すると共に前記取得した端末識別子と関連づけられた前記商品識別子および前記売上情報を前記売上記憶部から取得し、前記取得した商品識別子および売上情報を関連づけたグループ別売上情報を作成する管理処理と、
前記管理処理にて作成されたグループ別売上情報を前記表示部に表示させる表示処理と、
をさらに含むプログラム。
【発明の詳細な説明】
【技術分野】
【０００１】
本発明は、商品管理装置、商品管理方法およびプログラムに関する。
【背景技術】
【０００２】
商品販売等を行う複数の店舗にて販売される販売商品の商品情報を一括で管理するＰＯＳ（Point Of Sales）システムでは、各店舗に端末装置が配置される。各店舗に配置された端末装置は、ネットワーク網を介してメインサーバと接続される。
【０００３】
このメインサーバにて、販売商品を特定するための商品コード（例えば、JAN（Japanese Article Number）コード）と、該商品コードにて特定される商品の販売価格等の商品情報とが、互いに関連づけられた商品参照情報（以下、ＰＬＵ（Price look up）情報と呼ぶ）が作成され、作成されたＰＬＵ情報が各店舗に配置された端末装置に送信される。各店舗に配置された端末装置は、商品のラベル等に表記された商品コードを、例えば、ハンディスキャン等で読み込み、読み込んだ商品コードとＰＬＵ情報とに基づいて、該当する商品の商品情報を取得している。これにより、効率の良い商品管理が行われている。
【０００４】
しかしながら、例えば、店舗ごとに異なる販売商品を扱う場合において、メインサーバが同一のＰＬＵ情報を各店舗に配置された端末装置に送信すると、端末装置は、配置された店舗で販売されていない商品が含まれるＰＬＵ情報を保持することになる。これにより、端末装置の記憶容量が増加するため、端末装置の製造費が増加する。このため、効率の良い、ＰＬＵ情報の配信システムが必要となる。
【０００５】
例えば、特許文献１（特開２００１−９３０４７号公報）に記載のＰＯＳシステムでは、各店舗に配置された端末装置が、例えば、扱う販売商品が同じ店舗に配置された端末装置ごとに、グループで分けられ、販売商品の商品情報と、グループを特定するためのグループ番号と、を関連づけたＰＬＵマスタファイルが用意される。このＰＯＳシステムでは、ＰＬＵマスタファイルが用いられ、グループに分けられた端末装置に、グループごとに異なった商品情報を含むＰＬＵファイルが送信されている。
【特許文献１】特開２００１−９３０４７号公報
【発明の開示】
【発明が解決しようとする課題】
【０００６】
しかしながら、特許文献１に記載のＰＯＳシステムでは、一つの販売商品に対して、一つのグループ番号が関連づけられている。よって、例えば、本屋で使用される端末装置と文房具屋で使用される端末装置とが異なるグループに分けられ、分けられたグループごとにＰＬＵファイルが作成された後に、本屋でも文房具を売ることになった場合など、同一の商品が複数のグループで販売される場合などに対処できない可能性がある。
【０００７】
本発明の目的は、各店舗に配置された端末装置に、ＰＬＵ情報を効率良く配信することが可能な商品管理装置、商品管理方法およびプログラムを提供することである。
【課題を解決するための手段】
【０００８】
前記目的を達成するために、本発明の商品管理装置は、複数の店舗にそれぞれ配置され、所定のグループに分けられた端末装置に、前記端末装置が配置された前記店舗にて販売される販売商品の商品情報を送信する商品管理装置であって、前記複数の店舗に配置された前記端末装置を識別するための端末識別子と、該端末識別子にて特定される前記端末装置の所属する前記グループを識別するためのグループ識別子と、を前記端末識別子ごとに記憶する店舗情報記憶部と、前記販売商品を識別するための商品識別子と、該商品識別子にて特定される前記販売商品の前記商品情報と、を前記商品識別子ごとに記憶する商品情報記憶部と、前記グループ識別子と、該グループ識別子にて特定される前記グループに所属する前記端末装置が配置される前記店舗にて販売される前記販売商品を特定するための前記商品識別子と、を前記グループ識別子ごとに記憶する指標情報記憶部と、前記グループ識別子と関連づけられた前記商品識別子を前記指標情報記憶部から取得すると共に前記取得した商品識別子と関連づけられた前記商品情報を前記商品情報記憶部から取得し、前記取得した商品識別子および商品情報を関連づけたグループ別商品参照情報を作成する生成部と、前記生成部にて作成されたグループ別商品参照情報を、前記グループ別商品参照情報が含む前記商品識別子に関連づけられた前記グループ識別子と関連づけられた前記端末識別子にて特定される前記端末装置に送信する送信部と、を含む。
【０００９】
また、本発明の商品管理方法は、複数の店舗にそれぞれ配置され、所定のグループに分けられた端末装置に、前記端末装置が配置された前記店舗にて販売される販売商品の商品情報を送信し、前記複数の店舗に配置された前記端末装置を識別するための端末識別子と、該端末識別子にて特定される前記端末装置の所属する前記グループを識別するためのグループ識別子と、を前記端末識別子ごとに記憶する店舗情報記憶部と、前記販売商品を識別するための商品識別子と、該商品識別子にて特定される前記販売商品の前記商品情報と、を前記商品識別子ごとに記憶する商品情報記憶部と、前記グループ識別子と、該グループ識別子にて特定される前記グループに所属する前記端末装置が配置される前記店舗にて販売される前記販売商品を特定するための前記商品識別子と、を前記グループ識別子ごとに記憶する指標情報記憶部と、を含む商品管理装置の行う商品管理方法であって、前記グループ識別子と関連づけられた前記商品識別子を前記指標情報記憶部から取得すると共に前記取得した商品識別子と関連づけられた前記商品情報を前記商品情報記憶部から取得し、前記取得した商品識別子および商品情報を関連づけたグループ別商品参照情報を作成する生成ステップと、前記生成ステップにて作成されたグループ別商品参照情報を、前記グループ別商品参照情報が含む前記商品識別子に関連づけられた前記グループ識別子と関連づけられた前記端末識別子にて特定される前記端末装置に送信する送信ステップと、を含む。
【００１０】
前記発明によれば、グループ識別子と関連づけられた商品識別子と、該商品識別子にて特定される販売商品の商品情報と、が商品識別子ごとに関連づけられたグループ別商品参照情報が、グループ識別子ごとに作成される。このグループ識別子ごとに作成されたグループ別商品参照情報が、グループ別商品参照情報に含まれる商品識別子と指標情報記憶部にて関連づけられたグループ識別子と関連づけられた端末識別子にて特定される端末装置に送信される。これにより、同一の販売商品が複数のグループで販売される場合、複数のグループ識別子に同一の販売商品を特定する商品識別子を関連づけることで、グループに分けられた端末装置に、グループ別商品参照情報を送信することが可能になる。したがって、各店舗に配置された端末装置に、商品参照情報（ＰＬＵ情報）を効率の良く配信することが可能になる。
【００１１】
また、本発明の商品管理装置は、前記端末識別子と、該端末識別子にて特定される前記端末装置が配置された前記店舗にて販売される前記販売商品を特定するための前記商品識別子と、該商品識別子にて特定される前記販売商品の売上情報と、を前記端末識別子ごとに関連づけて記憶する売上記憶部と、前記グループ識別子と関連づけられた前記端末識別子を前記店舗情報記憶部から取得すると共に前記取得した端末識別子と関連づけられた前記商品識別子および前記売上情報を前記売上記憶部から取得し、前記取得した商品識別子および売上情報を関連づけたグループ別売上情報を作成する管理部と、前記管理部にて作成されたグループ別売上情報を表示する表示部と、をさらに含むことが望ましい。
【００１２】
また、本発明の商品管理方法は、前記商品管理装置は、前記端末識別子と、該端末識別子にて特定される前記端末装置が配置された前記店舗にて販売される前記販売商品を特定するための前記商品識別子と、該商品識別子にて特定される前記販売商品の売上情報と、を前記端末識別子ごとに関連づけて記憶する売上記憶部と、をさらに含み、前記グループ識別子と関連づけられた前記端末識別子を前記店舗情報記憶部から取得すると共に前記取得した端末識別子と関連づけられた前記商品識別子および前記売上情報を前記売上記憶部から取得し、前記取得した商品識別子および売上情報を関連づけたグループ別売上情報を作成する管理ステップと、前記管理ステップにて作成されたグループ別売上情報を表示する表示ステップと、をさらに含むことが望ましい。
【００１３】
前記発明によれば、グループ識別子と関連づけられた商品識別子と、該商品識別子にて特定される販売商品の売上情報と、が関連づけられたグループ別売上情報が、グループ識別子ごとに作成される。これにより、グループごとに売上状況が確認できる。
【発明の効果】
【００１４】
本発明によれば、各店舗に配置された端末装置に、ＰＬＵ情報を効率良く配信することが可能になる。
【発明を実施するための最良の形態】
【００１５】
以下、本発明の実施例について図面を参照して説明する。
【００１６】
図１は、本発明の一実施例の商品管理装置の構成を示したブロック図である。
【００１７】
図１において、商品管理装置は、店舗情報記憶部１０２と全ＰＬＵ情報記憶部１０３と指標情報記憶部１０４と入力部１０５と受信部１０７と売上情報記憶部１０８と表示部１１０と制御部１１１とメモリ１１２を含む。
【００１８】
制御部１１１は、生成部１０１と送信部１０６と管理部１０９とを含む。
【００１９】
メモリ１１２は、コンピュータにて読み取り可能な記録媒体であり、制御部１１２の動作を規定するプログラムを記録している。
【００２０】
制御部１１１は、例えば、コンピュータであり、メモリ１１２に記憶されているプログラムを読み取り、読み取られたプログラムを実行し、生成部１０１と送信部１０６と管理部１０９とを実現する。
【００２１】
店舗情報記憶部１０２は、各店舗に配置された端末装置を識別するための端末識別子と、該端末識別子にて識別される端末装置の所属するグループを特定するためのグループ識別子と、を端末識別子ごとに関連づけた店舗情報データベースを記憶する。
【００２２】
図２は、店舗情報データベースの一例を示した図である。図２において、店舗情報データベース２００は、店舗番号２０１と店舗名２０２とグループ番号２０３とを含む。
【００２３】
店舗番号２０１は、各店舗に配置された端末装置を識別するための番号である。
【００２４】
店舗名２０２は、店舗番号２０１にて特定される端末装置が配置された店舗の名称である。
【００２５】
グループ番号２０３は、店舗番号２０１にて特定される端末装置が所属するグループを
特定するための番号である。
【００２６】
全ＰＬＵ情報記憶部１０３は、ＰＬＵ（Price look up）情報を全て記憶する。すなわち、販売商品を識別するための商品識別子（例えば、JAN（Japanese Article Number）コード）と、該商品識別子にて特定される販売商品の商品情報と、を商品識別子ごとに関連づけたＰＬＵデータベースを記憶する。
【００２７】
図３は、ＰＬＵデータベースの一例を示した図である。図３において、ＰＬＵデータベース３００は、ＰＬＵ番号３０１と商品名３０２と販売価格３０３とを含む。
【００２８】
ＰＬＵ番号３０１は、例えば、JANコードの番号であり、販売商品を特定するための番号である。
【００２９】
商品名３０２は、ＰＬＵ番号３０１にて特定される販売商品の名称である。
【００３０】
販売価格３０３は、ＰＬＵ番号３０１にて特定される販売商品の販売価格である。
【００３１】
指標情報記憶部１０４は、グループ識別子と、該グループ識別子にて識別されるグループに所属する端末装置が配置された店舗にて販売される販売商品を識別するための商品識別子と、をグループ識別子ごとに関連づけた指標データベースを記憶する。
【００３２】
図４は、指標データベースの一例を示した図である。図４において、指標データベース４００は、グループ番号４０１とＰＬＵ番号４０２とを含む。
【００３３】
グループ番号４０１は、各店舗に配置された端末装置が所属するグループを識別するための番号である。
【００３４】
ＰＬＵ番号４０２は、例えば、JANコードの番号であり、グループ番号４０１にて特定されるグループに所属する端末装置が配置された店舗にて販売される販売商品を特定するための番号である。
【００３５】
なお、グループ識別子は、複数の商品識別子と関連づけられても良い。また、商品識別子は、複数のグループ識別子と関連づけられても良い。
【００３６】
例えば、図４において、グループ番号４０１「１」は、ＰＬＵ番号４０２「０００００１」とＰＬＵ番号４０２「０００００３」とＰＬＵ番号４０２「０００００５」と、に関連づけられている。また、ＰＬＵ番号４０２「０００００１」は、グループ番号４０１「１」とグループ番号４０１「３」と、に関連づけられている。
【００３７】
入力部１０５は、例えば、キーボードであり、ユーザからの入力を受け付ける。
【００３８】
入力部１０５は、ユーザからグループ別ＰＬＵ情報の作成を要求する旨の作成要求情報を受け付けると、受け付けた作成要求情報を生成部１０１に出力する。
【００３９】
生成部１０１は、入力部１０５から作成要求情報を受け付けると、指標情報記憶部１０４から、第一のグループ識別子および第一のグループ識別子と関連づけられて記憶された商品識別子を取得する。
【００４０】
例えば、生成部１０１は、入力部１０５から作成要求情報を受け付けると、指標情報記憶部１０４から、グループ番号４０１「１」、および、グループ番号４０１「１」と関連づけられて記憶されたＰＬＵ番号４０２「０００００１」とＰＬＵ番号４０２「０００００３」とＰＬＵ番号４０２「０００００５」、を取得する。
【００４１】
生成部１０１は、指標情報記憶部１０４から第一のグループ識別子および商品識別子を取得すると、全ＰＬＵ情報記憶部１０３から、指標情報記憶部１０４から取得した商品識別子と関連づけられた商品情報を取得する。
【００４２】
例えば、生成部１０１は、指標情報記憶部１０４からＰＬＵ番号４０２「０００００１」とＰＬＵ番号４０２「０００００３」とＰＬＵ番号４０２「０００００５」とを取得すると、全ＰＬＵ情報記憶部１０３から、ＰＬＵ番号４０２「０００００１」と関連づけられた商品名３０２「Ｉｔｅｍ １」および販売価格３０３「１１０」と、ＰＬＵ番号４０２「０００００３」と関連づけられた商品名３０２「Ｉｔｅｍ ３」および販売価格３０３「１３０」と、ＰＬＵ番号４０２「０００００５」と関連づけられた商品名３０２「Ｉｔｅｍ ５」および販売価格３０３「１５０」と、を取得する。
【００４３】
生成部１０１は、指標情報記憶部１０４から取得した商品識別子と、全ＰＬＵ情報記憶部１０３から取得した該商品識別子と関連づけられた商品情報と、を商品識別子ごとに関連づけた、第一のグループ識別子に対応する第一のグループ別ＰＬＵ情報を作成する。
【００４４】
図５は、グループ別ＰＬＵ情報の一例を示した図である。図５において、グループ別ＰＬＵ情報５００は、ＰＬＵ番号５０１と商品名５０２と販売価格５０３とを含む。
【００４５】
ＰＬＵ番号５０１は、グループ識別子にて特定されるグループに所属する端末装置が配置された店舗にて販売される販売商品を識別するための番号である。
【００４６】
商品名５０２は、ＰＬＵ番号５０１にて特定される販売商品の名称である。
【００４７】
販売価格５０３は、ＰＬＵ番号５０１にて特定される販売商品の販売価格である。
【００４８】
生成部１０１は、第一のグループ別ＰＬＵ情報を作成すると、店舗情報記憶部１０２から、指標情報記憶部１０４から取得した第一のグループ識別子と関連づけられた端末識別子を取得し、取得した端末識別子と作成した第一のグループ別ＰＬＵ情報と、を関連づけて送信部１０６に出力する。
【００４９】
また、生成部１０１は、互いに関連づけられた第一のグループ別ＰＬＵ情報と端末識別子とを送信部１０６に送信すると、指標情報記憶部１０４から、第二のグループ識別子および第二のグループ識別子と関連づけられて記憶された商品識別子を取得する。
【００５０】
生成部１０１は、第二のグループ識別子と第二のグループ識別子と関連づけられて記憶された商品識別子を取得すると、第一のグループ別ＰＬＵ情報を作成した場合と同様な動作を行い、第二のグループ識別子に対応する第二のグループ別ＰＬＵ情報を作成し、作成した第二のグループ別ＰＬＵ情報と、店舗情報記憶部１０２から、指標情報記憶部１０４から取得した第二のグループ識別子と関連づけられた端末識別子と、を関連づけて送信部１０６に出力する。
【００５１】
生成部１０１は、同様な動作を行い、全てのグループ識別子に対応するグループ別ＰＬＵ情報を作成し、作成したグループ別ＰＬＵ情報と、グループ別ＰＬＵ情報に対応するグループ識別子と店舗情報記憶部１０２にて関連づけられた端末識別子と、を関連づけて送信部１０６に出力する。
【００５２】
送信部１０６は、生成部１０１から互いに関連づけられたグループ別ＰＬＵ情報と端末識別子を受け付け、受け付けた端末識別子にて特定される端末装置に、例えば、ＦＴＰ（File Transfer Protocol）を使用し、受け付けたグループ別ＰＬＵ情報を送信する。
【００５３】
受信部１０７は、各店舗に配置された端末装置から、該端末装置が配置された店舗にて販売される販売商品を特定するための商品識別子と、該商品識別子にて識別される販売商品の売上状況と、を商品識別子ごとに関連づけられた売上データベースと、該端末装置を特定するための識別子と、を関連づけられた店舗売上情報を受け付け、受け付けた店舗売上情報を売上情報記憶部１０８に出力する。
【００５４】
図７は、店舗売上情報の一例を示した図である。図７において、店舗売上情報７００は、店舗番号７０１とＰＬＵ番号７０２と商品名７０３と販売個数７０４と売上高７０５と販売期間７０６とを含む。
【００５５】
店舗番号７０１は、各店舗に配置された端末装置を識別するための番号である。
【００５６】
ＰＬＵ番号７０２は、店舗番号７０１にて特定される端末装置が配置された店舗にて販売される販売商品を識別するための番号である。
【００５７】
商品名７０３は、ＰＬＵ番号７０２にて特定される販売商品の名称である。
【００５８】
販売個数７０４は、ＰＬＵ番号７０２にて特定される販売商品の販売個数である。
【００５９】
売上高７０５は、ＰＬＵ番号７０２にて特定される販売商品の売上高である。
【００６０】
販売期間７０６は、例えば、日付であり、売上高７０５を算出した期間である。
【００６１】
売上情報記憶部１０８は、受信部１０７から店舗売上情報を受け付け、受け付けた店舗売上情報を、店舗売上情報に含まれる端末識別子ごとに記憶する。
【００６２】
入力部１０５は、ユーザからグループごとの売上状況を表示する旨のグループ売上表示要求を受け付けると、受け付けたグループ売上表示要求を管理部１０９に出力する。
【００６３】
管理部１０９は、入力部１０５からグループ売上表示要求を受け付けると、店舗情報記憶部１０２から、第一のグループ識別子（例えば、グループ番号２０３「１」）と、第一のグループ識別子と関連づけられた端末識別子（例えば、店舗番号２０１「００２」および店舗番号２０２「００３」）を取得する。
【００６４】
管理部１０９は、売上情報記憶部１０８から、店舗情報記憶部１０２から取得した端末識別子と関連づけられた売上データベースを取得し、取得した売上データベースと、店舗情報記憶部１０２から取得した第一のグループ識別子と、を関連づけた第一のグループ別売上情報を作成する。
【００６５】
管理部１０９は、同様な動作を行い、全てのグループ識別子に対応するグループ別売上情報を作成し、作成したグループ別売上情報を表示部１１０に出力する。
【００６６】
表示部１１０は、例えば、ディスプレイである。
【００６７】
表示部１１０は、管理部１０９からグループ別売上情報と受け付け、受け付けたグループ別売上情報を表示する。
【００６８】
表示方法は、例えば、売上高７０５を販売期間７０６ごとに表示する方法などであり、ユーザによって設定される。
【００６９】
次に動作を説明する。
【００７０】
図６は、本実施例の商品管理装置の動作を説明するためのフローチャートである。具体的には、商品管理装置が、グループ別ＰＬＵ情報を作成し、作成したグループ別ＰＬＵ情報を各店舗に配置された端末装置に送信するまでの動作を説明するためのフローチャートである。
【００７１】
ステップ６０１では、入力部１０５が、ユーザからグループ別ＰＬＵ情報の作成を要求する旨の作成要求情報を受け付け、受け付けた作成要求情報を生成部１０１に出力する。
【００７２】
生成部１０１は、入力部１０５から作成要求情報を受け付ける。その後、ステップ６０２が実行される。
【００７３】
ステップ６０２では、生成部１０１が、指標情報記憶部１０４から、特定のグループ識別子および該グループ識別子と関連づけられて記憶された商品識別子を取得する。その後、ステップ６０３が実行される。
【００７４】
ステップ６０３では、生成部１０１が、全ＰＬＵ情報記憶部１０３から、指標情報記憶部１０４から取得した商品識別子と関連づけられた商品情報、を取得する。その後、ステップ６０４が実行される。
【００７５】
ステップ６０４では、生成部１０１が、指標情報記憶部１０４から取得した商品識別子と、全ＰＬＵ情報記憶部１０３から取得した該商品識別子と関連づけられた商品情報と、を商品識別子ごとに関連づけたグループ別ＰＬＵ情報を作成する。その後、ステップ６０５が実行される。
【００７６】
ステップ６０５では、生成部１０１が、店舗情報記憶部１０２から、指標情報記憶部１０４から取得したグループ識別子と関連づけられた端末識別子を取得し、取得した端末識別子と作成したグループ別ＰＬＵ情報と、を関連づけて送信部１０６に出力する
送信部１０６は、生成部１０１から互いに関連づけられたグループ別ＰＬＵ情報と端末識別子を受け付け、受け付けた端末識別子にて特定される端末装置に、受け付けたグループ別ＰＬＵ情報を送信する。その後、ステップ６０６が実行される。
【００７７】
ステップ６０６では、生成部１０１が、全てのグループ識別子に対応するグループ別ＰＬＵ情報を作成したか否かの判断を行う。全てのグループ別ＰＬＵ情報が作成されたと判断された場合、ステップ６０７が実行され、全てのグループ別ＰＬＵ情報が作成されていないと判断された場合、ステップ６０２が実行される。
【００７８】
ステップ６０７では、生成部１０１が動作を終了する。
【００７９】
図８は、本実施例の商品管理装置の動作を説明するためのフローチャートである。具体的には、商品管理装置が、グループ別売上情報を作成し、作成したグループ別売上情報を表示するまでの動作を説明するためのフローチャートである。
【００８０】
ステップ８０１では、入力部１０５が、ユーザからグループごとの売上状況を表示する旨のグループ売上表示要求を受け付け、受け付けたグループ売上表示要求を管理部１０９に出力する。
【００８１】
管理部１０９は、入力部１０５からグループ売上表示要求を受け付ける。その後、ステップ８０２が実行される。
【００８２】
ステップ８０２では、管理部１０９が、店舗情報記憶部１０２から、特定のグループ識別子と、該グループ識別子と関連づけられた端末識別子を取得する。その後、ステップ８０３が実行される。
【００８３】
ステップ８０３では、管理部１０９が、売上情報記憶部１０８から、店舗情報記憶部１０２から取得した端末識別子と関連づけられた売上データベースを取得し、取得した売上データベースと、店舗情報記憶部１０２から取得したグループ識別子と、を関連づけたグループ別売上情報を作成する。その後、ステップ８０４が実行される。
【００８４】
ステップ８０４では、管理部１０９が、全てのグループ識別子に対応するグループ別売上情報を作成したか否かの判断を行う。全てのグループ別売上情報が作成されたと判断された場合、ステップ８０５が実行される。全てのグループ別売上情報が作成されていないと判断された場合、ステップ８０２が実行される。
【００８５】
ステップ８０５では、管理部１０９が、グループ別売上情報を表示部１１０に出力する。
【００８６】
表示部１１０は、管理部１０９からグループ別売上情報を受け付け、受け付けたグループ別売上情報を表示する。
【００８７】
本実施例によれば、生成部１０１は、指標情報記憶部１０４から、特定のグループ識別子および該グループ識別子と関連づけられて記憶された商品識別子を取得する。生成部１０１は、全ＰＬＵ情報記憶部１０３から、指標情報記憶部１０４から取得した商品識別子と関連づけられた商品情報を取得する。生成部１０１は、指標情報記憶部１０４から取得した商品識別子と、全ＰＬＵ情報記憶部１０３から取得した該商品識別子と関連づけられた商品情報と、を商品識別子ごとに関連づけた、該グループ識別子に対応するグループ別ＰＬＵ情報を作成する。
【００８８】
生成部１０１は、同様な動作を行い、全てのグループ識別子に対応するグループ別ＰＬＵ情報を作成する。
【００８９】
送信部１０６は、生成部１０１にて作成されたグループ別ＰＬＵ情報を、該グループ別ＰＬＵ情報に対応するグループ識別子にて特定されるグループに所属する端末装置に送信する。
【００９０】
これにより、グループ識別子と関連づけられた商品識別子と、該商品識別子にて特定される販売商品の商品情報と、が商品識別子ごとに関連づけられたグループ別ＰＬＵ情報が、グループ識別子ごとに作成される。このグループ識別子ごとに作成されたグループ別ＰＬＵ情報が、グループ別ＰＬＵ情報に対応するグループ識別子と関連づけられた端末識別子にて特定される端末装置に送信される。よって、同一の販売商品が複数のグループで販売される場合、複数のグループ識別子に同一の販売商品を特定する商品識別子を関連づけることで、グループに分けられた端末装置に、グループ別ＰＬＵ情報を送信することが可能になる。したがって、各店舗に配置された端末装置に、ＰＬＵ情報を効率良く配信することが可能になる。
【００９１】
また、本実施例によれば、管理部１０９は、店舗情報記憶部１０２から、特定のグループ識別子と、該グループ識別子と関連づけられた端末識別子を取得する。管理部１０９は、売上情報記憶部１０８から、店舗情報記憶部１０２から取得した端末識別子と関連づけられた売上データベースを取得し、取得した売上データベースと、店舗情報記憶部１０２から取得した特定のグループ識別子と、を関連づけた特定のグループ識別子に対応するグループ別売上情報を作成する。管理部１０９は、同様な動作を行い、全てのグループ識別子に対応するグループ別売上情報を作成する。
【００９２】
表示部１１０は、管理部１０９にて作成されたグループ別売上情報を表示する。
【００９３】
これにより、グループ識別子と関連づけられた商品識別子と、該商品識別子にて特定される販売商品の売上情報と、が関連づけられたグループ別売上情報が、グループ識別子ごとに作成される。これにより、グループごとに売上状況が確認できる。
【００９４】
以上説明した実施例において、図示した構成は単なる一例であって、本発明はその構成に限定されるものではない。
【図面の簡単な説明】
【００９５】
【図１】本発明の一実施例の商品管理装置の構成を示したブロック図である。
【図２】店舗データベースの一例を示した図である。
【図３】ＰＬＵデータベースの一例を示した図である。
【図４】指標データベースの一例を示した図である。
【図５】グループ別ＰＬＵ情報の一例を示した図である。
【図６】商品管理装置の動作の一例を説明するためのフローチャートである。
【図７】店舗売上情報の一例を示した図である。
【図８】商品管理装置の動作の一例を説明するためのフローチャートである。
【符号の説明】
【００９６】
１０１  生成部
１０２  店舗情報記憶部
１０３  全ＰＬＵ情報記憶部
１０４  指標情報記憶部
１０５  入力部
１０６  送信部
１０７  受信部
１０８  売上情報記憶部
１０９  管理部
１１０  表示部
１１１  制御部
１１２  メモリ
２００  店舗情報データベース
２０１  店舗番号
２０２  店舗名
２０３  グループ番号
３００  ＰＬＵデータベース
３０１  ＰＬＵ番号
３０２  商品名
３０３  販売価格
４００  指標データベース
４０１  グループ番号
４０２  ＰＬＵ番号
５００  グループ別ＰＬＵ情報
５０１  ＰＬＵ番号
５０２  商品名
５０３  販売価格
７００  店舗売上情報
７０１  ＰＬＵ番号
７０２  商品名
７０３  販売個数
７０４  売上高
７０５  販売期間
【図１】
2006318265.tif 000003
【図２】
2006318265.tif 000004
【図３】
2006318265.tif 000005
【図４】
2006318265.tif 000006
【図５】
2006318265.tif 000007
【図６】
2006318265.tif 000008
【図７】
2006318265.tif 000009
【図８】
2006318265.tif 000010